(57)【要約】【課題】  ＣＣＤ撮像装置を組み込んだマウス入力装置を顕微鏡の接眼部に簡単に取り付け可能とする。【解決手段】  ＣＣＤ撮像手段を備えたマウス入力装置を顕微鏡の接眼部に装着するための顕微鏡設置用ホルダー機構である。顕微鏡１の接眼部１ａに嵌合される顕微鏡装着部（外筒部３５）と、マウス入力装置２の底面と接するマウス取り付け用台座３１と、マウス入力装置２を取り付け固定するマウス取り付け用ピン３２とを有するマウス取り付け用アダプタ３を備える。マウス入力装置２の底面に設けられた固定用孔２２にマウス取り付け用ピン３２を挿入係止することにより、マウス入力装置２が顕微鏡１の接眼部１ａに取り付け固定される。【選択図】  図１
2006072496.tif 000002
【特許請求の範囲】
【請求項１】
ＣＣＤ撮像手段を備えたマウス入力装置を顕微鏡の接眼部に装着するための顕微鏡設置用ホルダー機構であって、
顕微鏡の接眼部に嵌合される顕微鏡装着部と、マウス入力装置の底面と接するマウス取り付け用台座と、マウス入力装置を取り付け固定するマウス取り付け用ピンとを有するマウス取り付け用アダプタを備え、
前記マウス入力装置の底面に設けられた固定用孔に前記マウス取り付け用ピンを挿入係止することにより、マウス入力装置が顕微鏡の接眼部に取り付け固定されることを特徴とする顕微鏡設置用ホルダー機構。
【請求項２】
前記マウス取り付け用ピンは、所定の太さを有するピン本体と、これよりも大径を有する頭部とから構成され、
前記マウス入力装置の底面に設けられた固定用孔は、前記マウス取り付け用ピンの頭部を挿入し得る大きさの孔部と、頭部の径より幅狭でピン本体より幅広なスリット部が連通して形成されていることを特徴とする請求項１記載の顕微鏡設置用ホルダー機構。
【請求項３】
前記マウス取り付け用アダプタは、顕微鏡装着部として機能する外筒部と、端部に前記マウス取り付け用台座及びマウス取り付け用ピンが設けられた内筒部とからなり、
前記内筒部は、前記外筒部に対して上下動自在とされていることを特徴とする請求項１又は２記載の顕微鏡設置用ホルダー機構。
【請求項４】
前記外筒部は、顕微鏡接眼部に当該外筒部をネジ止め固定する固定締め付けノブを有することを特徴とする請求項１から３のいずれか１項記載の顕微鏡設置用ホルダー機構。
【請求項５】
前記外筒部と内筒部は、ラックギア及びピニオンギアにより上下動自在とされており、前記外筒部に上下移動用ノブが設けられていることを特徴とする請求項１から４のいずれか１項記載の顕微鏡設置用ホルダー機構。
【請求項６】
請求項１乃至６のいずれか一項に記載のホルダー機構に装着されることを特徴とするマウス入力装置。
【発明の詳細な説明】
【技術分野】
【０００１】
本発明は、ＣＣＤ撮像手段を備えたマウス入力装置の顕微鏡への簡易な取り付けを実現するための顕微鏡設置用ホルダー機構に関する。
【背景技術】
【０００２】
いわゆるパーソナルコンピュータ等、各種コンピュータ装置においては、画像表示装置（モニタ）に表示された画面上に座標点を示すカーソルやポインタ等を任意の位置に移動させたり、範囲指定等を行う座標入力装置としてマウス入力装置が広く用いられている。マウス入力装置は、手になじむような曲面形状とされたケース体と、前記ケース体の底面に一部露呈しケース体の操作に伴って回転するトラックボールと、ケース体の表側に配置された複数のクリックボタン等から構成されている。
【０００３】
前記の構成を有するマウス入力装置では、前記ケース体を包み込むようにして把持し机上等を移動操作することで、内蔵されたトラックボールが回転する。トラックボールの回転量や回転方向は、エンコーダによって検出され、これに応じてカーソルやマウスポインタを移動させる駆動出力をコンピュータ装置へと出力する。あるいは、カーソル等がモニタ上の指定の指示位置に達した状態でクリックボタンを操作することにより、画面対応で種々の入力操作を行うことが可能である。
【０００４】
近年、コンピュータ装置においては、コンピュータ本体やモニタに対して、マウス入力装置ばかりでなく、キーボードや電子ペン、スキャナー等の各種の入力装置、プリンタ等の出力装置が接続されているが、さらに外部撮像装置を接続し、画像情報を直接、且つ迅速にコンピュータ本体に取り込み、これを利用することが行われている。この場合、固定型のＣＣＤカメラでは、撮像領域に制約が生じてしまう。また、デジタルビデオカメラやデジタルカメラ等をハブ装置等を介して接続しようとすると、システム構成が複雑なものとなる等の問題があり、操作性の点でも改善の余地を残している。
【０００５】
このような状況から、マウス入力装置にＣＣＤ撮像手段を組み込み、画像情報を簡易に取り込めるようにする試みがなされている（例えば、特許文献１等を参照）。この特許文献１記載の発明では、マウス入力装置にＣＣＤ撮像装置を組み込むことで、高価なデジタルビデオカメラやデジタルカメラ等を不要とし、簡易なシステムの構築を可能としている。また、マウス入力装置にＣＣＤ撮像手段を組み込めば、簡易な移動操作により広範囲な撮像が可能であり、所望の画像情報が容易に得られ、例えば撮像した画像情報のはめ込み処理も同時に行うことができる等、操作性の向上も図られる。
【特許文献１】特開２００１−２８２４５２号公報
【発明の開示】
【発明が解決しようとする課題】
【０００６】
ところで、撮像装置の利用形態としては、通常の画像情報の取り込みの他、特殊な画像情報、例えば顕微鏡により拡大された画像等の取り込み等にも対応し得ることがことができれば、その用途はより一層拡大するものと期待される。しかしながら、顕微鏡で拡大された画像をカメラにて撮影する場合、専用の装置やカメラが必要で、多大な設備投資が必要である。また、撮影した画像のコンピュータ装置への入力は、いくつかのステップを経て間接的に行うことになり、操作性等の点で改良が望まれる。
【０００７】
本発明は、このような従来のものの有する欠点を解消するために提案されたものであり、マウス入力装置にＣＣＤ撮像手段を組み込むことによる利点を活かし、顕微鏡の拡大画像を簡易にコンピュータ装置へ入力可能とする顕微鏡設置用ホルダー機構を提供することを目的とする。また、本発明は、ＣＣＤ撮像装置を組み込んだマウス入力装置を顕微鏡に簡単に取り付け可能とし、例えば焦点合わせ等も簡単に行うことが可能な顕微鏡設置用ホルダー機構を提供することを目的とする。
【課題を解決するための手段】
【０００８】
上述の目的を達成するために、本発明に係る顕微鏡設置用ホルダー機構は、ＣＣＤ撮像手段を備えたマウス入力装置を顕微鏡の接眼部に装着するための顕微鏡設置用ホルダー機構であって、顕微鏡の接眼部に嵌合される顕微鏡装着部と、マウス入力装置の底面と接するマウス取り付け用台座と、マウス入力装置を取り付け固定するマウス取り付け用ピンとを有するマウス取り付け用アダプタを備え、前記マウス入力装置の底面に設けられた固定用孔に前記マウス取り付け用ピンを挿入係止することにより、マウス入力装置が顕微鏡の接眼部に取り付け固定されることを特徴とする。
【０００９】
本発明の顕微鏡設置用ホルダー機構においては、前記の構成を有することから、マウス入力装置の底面に設けられた固定用孔にマウス取り付け用ピンを挿入係止するだけで、簡単にマウス入力装置が顕微鏡の接眼部に取り付け固定される。このとき、マウス入力装置の底面はマウス取り付け用台座によって支持された形になり、取り付け状態は安定なものとなる。顕微鏡の接眼部への取り付け固定においては、確実に安定な取り付け状態とすることが必要不可欠であり、これにより顕微鏡の拡大画像をブレ等を生ずることなく安定に取り込むことが可能になる。
【００１０】
また、本発明の顕微鏡設置用ホルダー機構は、前記構成に加えて、前記マウス取り付け用アダプタは、顕微鏡装着部として機能する外筒部と、端部に前記マウス取り付け用台座及びマウス取り付け用ピンが設けられた内筒部とからなり、前記内筒部は、前記外筒部に対して上下動自在とされていることも特徴とする。内筒部を外筒部に対して上下動自在とすることで、焦点合わせも容易に行える。
【発明の効果】
【００１１】
本発明の顕微鏡設置用ホルダー機構によれば、顕微鏡の拡大画像を簡易にコンピュータ装置へ入力可能とする顕微鏡設置用ホルダー機構を実現することが可能である。すなわち、本発明の顕微鏡設置用ホルダー機構によれば、ＣＣＤ撮像装置を組み込んだマウス入力装置を顕微鏡の接眼部に簡単に取り付けることが可能であり、さらには、例えば焦点合わせ等も簡単に行うことが可能である。
【発明を実施するための最良の形態】
【００１２】
以下、本発明を適用した顕微鏡設置用ホルダー機構について、図面を参照して詳細に説明する。
【００１３】
本発明の顕微鏡設置用ホルダー機構は、図１に示すように、顕微鏡１の接眼部１ａにＣＣＤ撮像手段を内蔵するマウス入力装置２を安定且つ簡易に取り付け可能とするものであり、具体的にはマウス取り付け用アダプタ３を介して前記マウス入力装置２を接眼部１ａに取り付け固定するようになっている。
【００１４】
図２は、マウス入力装置２の底面を示すものであり、当該マウス入力装置２には、撮影物を撮影するためのＣＣＤ撮像手段が内蔵されており、底面にはこのＣＣＤ撮像手段の対物レンズ２１が臨んでいる。対物レンズ２１を介してＣＣＤ撮像手段によって撮影した画像情報は、コンピュータに直接取り込むことが可能である。
【００１５】
ここで、前記対物レンズ２１の近傍には、一対の固定用孔２２が設けられており、ここに後述のマウス取り付け用アダプタ３のマウス取り付け用ピンを挿入することにより、顕微鏡１への取り付け固定が行われる。なお、各固定用孔２２の形状としては、マウス取り付け用ピンの頭部を挿入し得る大きさの孔部２２ａと、頭部の径より幅狭でピン本体より幅広なスリット部２２ｂとを有し、これらが連通した形状とされている。
【００１６】
このマウス入力装置２は、通常のマウス入力装置と同様、ケース体に例えば左クリックボタン、右クリックボタンが設けられてなるものであり、これらの操作方法も通常のマウス入力装置と同様である。ケース体は、例えばプラスチック等により形成され、その形状は、把持状態に合わせて曲面形状とされている。
【００１７】
マウス入力装置２の底面には、前記対物レンズ２１の他、座標情報を入力するためのトラックボール２３の一部が露呈して臨んでおり、その回転によって位置情報を検出し、コンピュータに入力する。
【００１８】
したがって、マウス入力装置２の内部には、図示は省略するが、トラックボール２３のｘ軸方向、ｙ軸方向の転がりを検出してそれぞれエンコーダに入力するためのｘ軸方向転がり検出ロール、ｙ軸方向転がり検出ロールが設けられ、これらが座標入力手段として機能する。また、マウス入力装置２の内部には、さらに前記左クリックボタン及び右クリックボタンに対応して一対のクリックスイッチが設けられている。左クリックボタンや右クリックボタンの操作は、これらクリックスイッチによって電気信号に変換され、コンピュータに伝達される。
【００１９】
一方、マウス取り付け用アダプタ３は、図３に示すように、顕微鏡１の接眼部１ａに嵌合することにより装着されるものであり、したがって、顕微鏡１の接眼部１ａよりも若干大径の筒状体として構成される。そして、その一端部（上端部）は、リング状の平坦面を有するマウス取り付け用台座３１とされるとともに、前記マウス入力装置２の底面に設けられた固定用孔２２に対応して、一対のマウス取り付け用ピン３２が植立されている。
【００２０】
マウス取り付け用ピン３２は、頭部３２ａがピン本体３２ｂに比べて若干大径に形成されており、この部分を前記固定用孔２２に係止するようになっている。すなわち、マウス入力装置２の取り付けに際しては、先ず、マウス取り付け用ピン３２の頭部３２ａを固定用孔２２の孔部２２ａに挿入する。その後、マウス入力装置２のマウス取り付け用アダプタ３とを相対的に回転させ、ピン本体３２ｂが固定用孔２２のスリット部２２ｂを挿通する位置までマウス取り付け用ピン３２を移動する。この状態では、マウス取り付け用ピン３２の頭部３２ａが係止され、その脱落が防止される。このようにしてマウス入力装置２をマウス取り付け用アダプタ３を介して顕微鏡１の接眼部１ａに取り付け、マウス入力装置２の対物レンズ２１と顕微鏡１の対物レンズを相対向させた状態が、図１である。
【００２１】
また、マウス取り付け用アダプタ３には、前記マウス取り付け用台座３１やマウス取り付け用ピン３２の他、固定締め付けノブ３３や上下移動用ノブ３４が設けられているが、以下、これらの機能について説明する。
【００２２】
マウス取り付け用アダプタ３は、前記の通り顕微鏡１の接眼部１ａに嵌合される筒状体として構成されるが、本例では、単なる筒状体とされるのではなく、図４に示すような外筒部３５と内筒部３６とからなる２重構造を有している。そして、これらは互いにスライド移動可能であり、外筒部３５が顕微鏡１の接眼部１ａに嵌合されるとともに、内筒部３６に前記マウス取り付け用台座３１やマウス取り付け用ピン３２が形成されている。
【００２３】
前記固定締め付けノブ３３は、マウス取り付け用アダプタ３の外筒部３５を顕微鏡１の接眼部１ａに取り付け固定するためのものであり、これを締め付けることにより、顕微鏡装着部として機能する外筒部３５が顕微鏡１に対してネジ止め固定される。
【００２４】
一方、外筒部３５と内筒部３６の間には、ラックギア３７とピニオンギアとの噛合わせによるスライド機構が設けられており、前記上下移動用ノブ３４を回転操作することにより、内筒部３６が外筒部３５に対して上下動する。この上下動により、マウス入力装置２の対物レンズ２１と顕微鏡１の対物レンズとの間の距離を調整することが可能になり、焦点合わせが可能となる。
【００２５】
以上のように、本発明の顕微鏡設置用ホルダー機構によれば、マウス取り付け用アダプタ３を顕微鏡１の接眼部１ａに嵌合するとともに、マウス取り付け用アダプタ３に設けられたマウス取り付け用ピン３２をマウス入力装置２に設けられた固定用孔２３に挿入し、回転操作するだけで簡単にマウス入力装置２の顕微鏡１の接眼部１ａへの取り付け固定が可能である。このとき、マウス入力装置２の底面がマウス取り付け用台座３１によって支持され、取り付け状態が極めて安定なものとすることができる。さらに、上下移動用ノブ３４の回転操作によって、焦点合わせも簡単に行うことができる。
【図面の簡単な説明】
【００２６】
【図１】マウス入力装置をマウス取り付け用アダプタを介して顕微鏡の接眼部に装着した状態を示す概略側面図である。
【図２】マウス入力装置の概略底面図である。
【図３】マウス取り付け用アダプタの概略斜視図である。
【図４】マウス取り付け用アダプタのスライド機構を説明する図である。
【符号の説明】
【００２７】
１  顕微鏡、１ａ  接眼部、２  マウス入力装置、３  マウス取り付け用アダプタ、２１  対物レンズ、２２  固定用孔、２２ａ  孔部、２２ｂ  スリット部、２３  トラックボール、３１  マウス取り付け用台座、３２  マウス取り付け用ピン、３２ａ  頭部、３２ｂ  ピン本体、３３  固定締め付けノブ、３４  上下移動用ノブ、３５  外筒部、３６  内筒部、３７  ラックギア
【図１】
2006072496.tif 000003
【図２】
2006072496.tif 000004
【図３】
2006072496.tif 000005
【図４】
2006072496.tif 000006